【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
遊技の進行を司る主遊技制御部と、
情報出力制御を司る副遊技制御部と、
複数種類の図柄を表示した複数のリールと、
前記複数のリールを回転させるときに遊技者が操作するスタートスイッチと、
筐体の内部に設けられた第１のスイッチと、
遊技者によって操作可能な位置に設けられた第２のスイッチと
を備え、
主遊技制御部は、
役の抽選を行う役抽選手段と、
前記複数のリールの回転が停止した後に、有効ライン上の図柄の組合せを判定する入賞判定手段と、
第１のスイッチによるスイッチ状態に基づき電源投入時の動作モードを、役抽選手段による抽選確率を変更可能な設定変更モード、又は、役抽選手段による抽選確率を変更不能な非設定変更モードに制御する動作モード初期設定手段と、
副遊技制御部へ情報を送信する情報送信手段と
を備え、
副遊技制御部は、
消費電力に関する状態として、通常状態と消費電力低減状態とを有し、
消費電力低減状態の場合、通常状態と比較し、消費電力を低減させるよう制御する消費電力制御手段と、
主遊技制御部からの情報を受信する情報受信手段と
を備え、
前記動作モード初期設定手段により非設定変更モードが選択されている場合には、第１のスイッチによるスイッチ状態情報と第２のスイッチによるスイッチ状態情報とにより消費電力に関する状態を切り替えられるように制御し、
前記動作モード初期設定手段により設定変更モードが選択されている場合には、消費電力に関する状態を切り替えられないように制御する
ことを特徴とする回胴式遊技機。
【請求項２】
前記第２のスイッチは、前記リールを停止させるためのストップスイッチであって、当該ストップスイッチは前記複数のリールの各リールに対応させて複数設けられており、
前記第１のスイッチによるスイッチ状態情報と前記複数設けられたストップスイッチのうち特定のストップスイッチの操作情報とに基づき前記通常状態とし、前記第１のスイッチによるスイッチ状態情報と前記複数設けられたストップスイッチのうち当該特定のストップスイッチとは異なる所定のストップスイッチの操作情報とに基づき前記消費電力低減状態とする、請求項１記載の回胴式遊技機。
【請求項３】
副遊技制御部は、一又は複数種類の周辺機器に対して電力を供給し得るよう構成され、且つ、遊技の進行が所定期間に亘ってなされていない場合には、遊技待機モードとなるよう構成されており、
前記遊技待機モード中においては、前記通常状態及び前記消費電力低減状態のいずれであるかに応じて、周辺機器に対する電力供給量が異なるよう制御する、請求項１又は２記載の回胴式遊技機。
【手続補正２】
【補正対象書類名】明細書
【補正対象項目名】０００６
【補正方法】変更
【補正の内容】
【０００６】
本態様に係る回胴式遊技機は、
遊技の進行を司る主遊技制御部と、
情報出力制御を司る副遊技制御部と、
複数種類の図柄を表示した複数のリールと、
前記複数のリールを回転させるときに遊技者が操作するスタートスイッチと、
筐体の内部に設けられた第１のスイッチと、
遊技者によって操作可能な位置に設けられた第２のスイッチと
を備え、
主遊技制御部は、
役の抽選を行う役抽選手段と、
前記複数のリールの回転が停止した後に、有効ライン上の図柄の組合せを判定する入賞判定手段と、
第１のスイッチによるスイッチ状態に基づき電源投入時の動作モードを、役抽選手段による抽選確率を変更可能な設定変更モード、又は、役抽選手段による抽選確率を変更不能な非設定変更モードに制御する動作モード初期設定手段と、
副遊技制御部へ情報を送信する情報送信手段と
を備え、
副遊技制御部は、
消費電力に関する状態として、通常状態と消費電力低減状態とを有し、
消費電力低減状態の場合、通常状態と比較し、消費電力を低減させるよう制御する消費電力制御手段と、
主遊技制御部からの情報を受信する情報受信手段と
を備え、
前記動作モード初期設定手段により非設定変更モードが選択されている場合には、第１のスイッチによるスイッチ状態情報と第２のスイッチによるスイッチ状態情報とにより消費電力に関する状態を切り替えられるように制御し、
前記動作モード初期設定手段により設定変更モードが選択されている場合には、消費電力に関する状態を切り替えられないように制御する
ことを特徴とする回胴式遊技機である。
尚、本態様に係る回胴式遊技機は、次のように構成されていてもよい。
前記第２のスイッチは、前記リールを停止させるためのストップスイッチであって、当該ストップスイッチは前記複数のリールの各リールに対応させて複数設けられており、
前記第１のスイッチによるスイッチ状態情報と前記複数設けられたストップスイッチのうち特定のストップスイッチの操作情報とに基づき前記通常状態とし、前記第１のスイッチによるスイッチ状態情報と前記複数設けられたストップスイッチのうち当該特定のストップスイッチとは異なる所定のストップスイッチの操作情報とに基づき前記消費電力低減状態とする。
尚、本態様に係る回胴式遊技機は、次のように構成されていてもよい。
副遊技制御部は、一又は複数種類の周辺機器に対して電力を供給し得るよう構成され、且つ、遊技の進行が所定期間に亘ってなされていない場合には、遊技待機モードとなるよう構成されており、
前記遊技待機モード中においては、前記通常状態及び前記消費電力低減状態のいずれであるかに応じて、周辺機器に対する電力供給量が異なるよう制御する。
＜付記＞
尚、本態様とは異なる別態様について以下に列記しておくが、これらには何ら限定されることなく実施することが可能である。
本別態様（１）に係る回胴式遊技機（例えば、回胴式遊技機）は、
遊技の進行を司る主遊技制御部（例えば、回胴式遊技機における主制御装置１０００）と、
情報出力制御を司る副遊技制御部（例えば、回胴式遊技機におけるサブメイン制御装置３０００）と
を備え、
主遊技制御部（例えば、回胴式遊技機における主制御装置１０００）は、
複数種類の図柄を表示した複数のリール（例えば、回胴式遊技機における主リールユニット２１１０）と、
有効ラインを有効化するためのベット入力手段（例えば、回胴式遊技機におけるベットボタン２１３０）と、
前記複数のリール（例えば、回胴式遊技機における主リールユニット２１１０）を回転させるときに遊技者が操作するスタート手段（例えば、回胴式遊技機におけるスタートレバー２１４０）と、
前記複数のリール（例えば、回胴式遊技機における主リールユニット２１１０）の夫々に対応して設けられた、前記リール（例えば、回胴式遊技機における主リールユニット２１１０）の回転を停止させるためのストップ手段（例えば、回胴式遊技機における停止ボタンユニット２１２０）と、
役の抽選を行う役抽選手段（例えば、回胴式遊技機における当選役決定手段１１４２）と、
前記複数のリール（例えば、回胴式遊技機における主リールユニット２１１０）の回転がすべて停止した際、前記有効ライン上の前記停止した複数のリール（例えば、回胴式遊技機における主リールユニット２１１０）の図柄の組合せを判定する入賞判定手段（例えば、回胴式遊技機における入賞役特定手段１１６１）と、
設定変更手段（例えば、回胴式遊技機における動作環境初期設定手段１５００）と、
設定変更手段（例えば、回胴式遊技機における動作環境初期設定手段１５００）により設定変更された場合、設定変更された旨の情報を副遊技制御部（例えば、回胴式遊技機におけるサブメイン制御装置３０００）に送信する情報送信手段（例えば、回胴式遊技機における情報送信制御手段１２００）と
を備え、
副遊技制御部（例えば、回胴式遊技機におけるサブメイン制御装置３０００）は、
消費電力に関する状態として、通常状態と消費電力低減状態とを有し、
通常状態及び消費電力低減状態のいずれかに切り替える消費電力切替手段（例えば、回胴式遊技機における節電モード切換制御手段３３００）と、
消費電力低減状態の場合、通常状態と比較し、消費電力を低減させるよう制御する消費電力制御手段（例えば、回胴式遊技機における演出動作制御手段３２００）と、
主遊技制御部（例えば、回胴式遊技機における主制御装置１０００）からの情報を受信する情報受信手段（例えば、回胴式遊技機における情報受信手段３１００）と
を備え、
消費電力切替手段（例えば、回胴式遊技機における節電モード切換制御手段３３００）は、
設定変更された旨の情報を主遊技制御部（例えば、回胴式遊技機における主制御装置１０００）から受信したことを条件として、前記通常状態又は前記消費電力低減状態のいずれかに切り替え得る
ことを特徴とする回胴式遊技機である。
【手続補正３】
【補正対象書類名】明細書
【補正対象項目名】０００７
【補正方法】変更
【補正の内容】
【０００７】
本態様に係る回胴式遊技機によれば、消費電力を低減させるよう構成され、消費電力の切り替えにおける利便性等が低下してしまうことを回避できるという効果を奏する。